(57)【特許請求の範囲】
【請求項１】
ガラス繊維を素材とした中空円筒状のろ布本体と、該ろ布本体の上端又は下端の少なくとも何れか一方に装着された円環部材と、を備えたガラス繊維バグフィルタの収納方法において、
前記ろ布本体を平坦状に潰した後に、可撓性を有し且つ折り角を略Ｒ状に保持する長尺状の緩衝用治具を前記ろ布本体内に挿通して長手方向に沿った折り目内側に当接させ、該ろ布本体を前記緩衝用治具ごと長手方向に複数回折り畳むとともに、前記ろ布本体の長手方向に複数回折り畳んだガラス繊維バグフィルタを、該ガラス繊維バグフィルタの少なくとも一部を支持するとともに前記円環部材の高さより大なる間隙を有する仕切り壁により形成された収納空間内に収納することを特徴とするガラス繊維バグフィルタの収納方法。
【請求項２】
前記緩衝用治具内部若しくは表面に乾燥剤を配置したことを特徴とする請求項１記載のガラス繊維バグフィルタの収納方法。
【請求項３】
ガラス繊維を素材とした中空円筒状のろ布本体と該ろ布本体の上端又は下端の少なくとも何れか一方に装着された円環部材とを備えたガラス繊維バグフィルタを、長手方向に複数回折り畳んだガラス繊維バグフィルタ収納体において、
ろ布本体を平坦状に潰した該ろ布本体を折り畳む際に、該ろ布本体の折り目内側に、可撓性を有し且つ折り角を略Ｒ状に保持する緩衝用治具を当接させた状態で順次折り畳んでなるなるとともに、前記折り畳んだガラス繊維バグフィルタの少なくとも一部を支持するとともに前記円環部材の高さより大なる間隙を有する仕切り壁を備え、該仕切り壁により形成される収納空間内に前記折り畳んだガラス繊維バグフィルタが収納されてなることを特徴とするガラス繊維バグフィルタ収納体。
【請求項４】
前記緩衝用治具内部若しくは表面に乾燥剤が保持されていることを特徴とする請求項３記載のガラス繊維バグフィルタ収納体。
【発明の詳細な説明】
【技術分野】
【０００１】
本発明は、ガラス繊維をろ布素材として中空円筒状に形成されたガラス繊維バグフィルタの収納方法及び該収納体に関する。
【背景技術】
【０００２】
従来より、含塵気流から塵や粉体をろ過・捕集する装置としてバグフィルタを用いた除塵装置が広く用いられている。通常、このような除塵装置は、有底円筒状又は中空円筒状のバグフィルタが装置内に複数吊り下げられた状態で使用され、装置内に導入された含塵ガスがバグフィルタの外部から内部に通過する際に、ガス中の塵や粉体が外表面に捕集されるようになっている。ろ布素材としては、ガラス繊維やＰＴＦＥ及びその他有機系繊維の織布又は不織布が一般的に用いられるが、例えば各種排ガスの除塵に用いられるバグフィルタのように、使用環境が比較的高温下である場合には、耐熱性に優れ且つ安価なバグフィルタとして、ガラス繊維の織布が好適に採用される。
【０００３】
しかし、ガラス繊維バグフィルタは耐折れ性の面で他のバグフィルタよりも劣っているという問題がある。除塵装置の使用中にバグフィルタの破損が生じると、一時的に集塵されない排ガスが大気中に放出される惧れがあるため、定期的にバグフィルタを交換することで、このような不具合を未然に防止するようにしているが、最近はコスト低減のためにも交換周期を長くすることが望まれている。そこで、耐久性の向上を図ったバグフィルタのろ布素材について、特許文献１（特開平６−３９２２０号公報）、特許文献２（特開２００５−１３３２７２号公報）等に開示されている。
【０００４】
【特許文献１】特開平６−３９２２０号公報
【特許文献２】特開２００５−１３３２７２号公報
【発明の開示】
【発明が解決しようとする課題】
【０００５】
しかしながら、特許文献１及び特許文献２は、ろ布素材自体の耐久性を向上させる技術であり、使用前に折り畳み保管することによる耐久性の低下に関しては言及されていない。即ち、使用前に折り畳んだ状態で、特に数個を積み重ね長期保管すると、耐久性を向上させたろ布素材であっても折り目部分の引張り強度が著しく低下し、バグフィルタ使用中に破断するという欠点が残る。図８に従来のガラス繊維バグフィルタの収納状態を示す。図８（ａ）、（ｂ）に示すように、ろ布本体１１を折り畳んだ際に、折り目１５の折り角θが０°に近い鋭角で折れ曲がることとなり、さらに最も負荷がかかる両端折り目部分が点として応力集中するため、ガラス繊維の強度低下が引き起こり耐久性の低下につながる。
ところが、この長期保管に伴う強度低下についてはこれまで有望な対策が無かったため、ガラス繊維バグフィルタを採用する場合は以下の方法を採らざるを得なかった。
（１）更新時期に必要数量を購入し、一度に全てのバグフィルタを交換する。
（２）予算的に必要数量の確保が困難な場合は、段階的に購入し長期保管しておいたバグフィルタを短寿命で用いる。
（３）購入可能な数量の範囲で適宜バグフィルタを交換していく。
【０００６】
バグフィルタ更新によるろ布交換においては、例えば、廃棄物焼却炉のように連続運転で稼働率が高いものは作業時間を確保しにくく、また頻繁に交換する場合は交換コストが増大するため、ある程度の数量をまとめて交換することが効果的となる。この際、通常のガラス繊維バグフィルタの寿命は数年であることから、数年毎に交換を行うことになる。
ところが、上記（１）〜（３）は以下のような問題がある。
（１）の場合は、数年後毎にまとまったバグフィルタ購入費用が必要となることから自治体等では予算確保の面で負担となる。（２）の場合は、長期保管により強度低下したバグフィルタを用いるため寿命が短くなり、ろ布交換頻度が高くなることでコスト増大に繋がる。（３）の場合は、バグフィルタを一定量毎に頻繁に交換する作業が発生するため、交換作業コストが割高となるとともに廃棄物焼却炉等においては稼働率の低下となる。
【０００７】
例えば排ガス処理に用いられるバグフィルタは、ガス処理量等の条件によるが、一般的に直径１０〜２０ｃｍ、長さが４〜６ｍ程度の中空円筒形であり、さらに一基の除塵装置につき数十〜数百本程度必要とされるため、長期保管する際には折り畳むことが不可欠である。このように一基の除塵装置に対してバグフィルタが多数必要とされるため、保管する際に場所を取るという問題もあった。一般にガラス繊維バグフィルタは、除塵装置への取付けを簡易にするため、ろ布本体の上端側に金属製のスナップリングが縫い込まれて底面が共布により閉塞された構成、又は、下端側若しくは上端側と下端側の両方に金属製のスナップリングが縫い込まれた構成を有する。従って、ろ布本体はコンパクトに折り畳めても、スナップリングが嵩張り省スペース化が困難であるという問題も有していた。
そこで、本発明は上記従来技術の問題点に鑑み、ガラス繊維バグフィルタを折り畳んで長期保管しても極端な強度劣化を生じることがなく、さらに省スペース化を図ることができるガラス繊維バグフィルタの収納方法及び該収納体を提供することを目的とする。
【課題を解決するための手段】
【０００８】
本発明はかかる課題を解決するために、ガラス繊維を素材とした中空円筒状のろ布本体と、該ろ布本体の上端又は下端の少なくとも何れか一方に装着された円環部材と、を備えたガラス繊維バグフィルタの収納方法において、
前記ろ布本体を平坦状に潰した後に、可撓性を有し且つ折り角を略Ｒ状に保持する長尺状の緩衝用治具を前記ろ布本体内に挿通して長手方向に沿った折り目内側に当接させ、該ろ布本体を前記緩衝用治具ごと長手方向に複数回折り畳むとともに、前記ろ布本体の長手方向に複数回折り畳んだガラス繊維バグフィルタを、該ガラス繊維バグフィルタの少なくとも一部を支持するとともに前記円環部材の高さより大なる間隙を有する仕切り壁により形成された収納空間内に収納することを特徴とする。
【０００９】
本発明によれば、中空円筒状のガラス繊維バグフィルタを軽く潰した後、ろ布本体を長手方向に折り畳む際に、最も負荷がかかる両端折り目部分が点となりにくく、折り角θが０°に近い鋭角で折れ曲がることがなくなり、長期に亘る保管においてろ布破断の起点となる極端な強度低下箇所がなくなる。また、緩衝用治具を当接しながら順次折り畳むようにしているため、手間が掛からず簡単に収納でき、また梱包時間が短縮される。
尚、本発明において、ろ布本体を長手方向に折り畳む方法としては、該ろ布本体を蛇腹状に折り畳む方法、或いは所定間隔だけ離間した２の緩衝用治具にろ布本体を捲回するごとく螺旋状に折り畳む方法等が挙げられる。蛇腹状に折り畳む場合には、近傍に位置する緩衝用治具同士が互いに位置ずれして配置されるように折り畳むことが好ましい。また、螺旋状に折り畳む場合には、円環部材が中心に位置するように折り畳むことが好ましい。
【００１０】
また、好ましくは複数の前記緩衝用治具が連結部材により一体化されており、前記緩衝用治具の間に形成された円環部材収容空間に前記円環部材を収容した後、前記ろ布本体を前記緩衝用治具に捲回するごとく折り畳む。
本発明では、複数の緩衝用治具を一体化させることにより、治具の位置決めの手間を省くとともに治具そのものの位置を固定し、ずれによるろ布折れ曲がりの発生防止を図ることができる。また、ろ布本体幅より治具幅を広くし治具部分が積み重なるように積層することが好ましく、これにより最下段のバグフィルタに上部の荷重がかからず折り曲げを助長することがなくなる。また、ガラス繊維バグフィルタを折り畳んだ際に最も嵩張る円環部材を、緩衝用治具により形成された円環部材収容空間に収容するようにしたため、省スペース化が図れる。
【００１１】
さらにこれらの発明において、前記緩衝用治具内部若しくは表面、或いは前記円環部材収容空間に乾燥剤を配置することが好ましい。
本発明によれば、ガラス繊維バグフィルタの水蒸気による応力腐食を防止することができ、湿度上昇等の保管条件の変化に関わらず、品質を維持した長期保管が可能となる。
【００１２】
【００１３】
本発明では、ろ布本体とともに折り畳まれる緩衝用治具により折り角が緩和されて略Ｒ状となるため、最も負荷がかかる両端折り目部分が点となりにくく、長期に亘る保管においてろ布破断の起点となる極端な強度低下箇所がなくなる。また、長手方向に沿った折り目に対しても緩衝用治具により折り角が緩和されるため、強度低下を防止できる。
【００１４】
【００１５】
本発明のように、仕切り壁により固定された収納空間を形成することにより、ろ布本体の折り目に自重以外の荷重がかからないため、極端な強度低下を防止できる。これは、通常１個のバグフィルタを折り畳んだ程度では、最も負荷が加わる両端折り目部分が点となりにくいため、折り角θが実質極端な鋭角にならず、長期に亘る保管においてろ布破断の起点となる極端な強度低下箇所がなくなる。
また、仕切り壁を収納したダンボール等を積層して保管することが可能となり、保管スペースを低減できる。特に仕切り壁をダンボール内に挿入する場合、保護が必要な折り畳み部分以外は仕切り壁が存在しないように構成することも好適であり、これにより全体のコンパクト化が図れる。
【００１６】
【００１７】
【００１８】
また、ガラス繊維を素材とした中空円筒状のろ布本体と該ろ布本体の上端又は下端の少なくとも何れか一方に装着された円環部材とを備えたガラス繊維バグフィルタを、長手方向に複数回折り畳んだガラス繊維バグフィルタ収納体において、
ろ布本体を平坦状に潰した該ろ布本体を折り畳む際に、該ろ布本体の折り目内側に、可撓性を有し且つ折り角を略Ｒ状に保持する緩衝用治具を当接させた状態で順次折り畳んでなるなるとともに、前記折り畳んだガラス繊維バグフィルタの少なくとも一部を支持するとともに前記円環部材の高さより大なる間隙を有する仕切り壁を備え、該仕切り壁により形成される収納空間内に前記折り畳んだガラス繊維バグフィルタが収納されてなることを特徴とする。
さらにこれらの発明において、前記緩衝用治具内部若しくは表面、或いは前記円環部材収容空間に乾燥剤が保持されていることが好ましい。
【００１９】
【００２０】
【発明の効果】
【００２１】
以上記載のごとく本発明によれば、ガラス繊維バグフィルタの長期保管による強度低下を防止できる。さらに、長期保管したバグフィルタでも新品同様の寿命が確保でき、ろ布交換頻度増大によるコストアップがなくなり経済的である。これによりバグフィルタの交換時に予算的に必要数量を一気に確保することが困難な場合でも、段階的に購入し長期保管することが可能となり、予算確保の負担が軽減される。またその結果、バグフィルタの交換作業に伴う廃棄物焼却炉のような稼働率の低下を抑制できる。さらにまた、本発明ではガラス繊維バグフィルタをコンパクトに収納することが可能であり、省スペース化が図れる。
【発明を実施するための最良の形態】
【００２２】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
図１は本発明の実施例１に係るガラス繊維バグフィルタの折り畳み状態を示す図、図２は本発明の実施例１に係るガラス繊維バグフィルタ収納体を示す図、図３は本発明の実施例１の他の形態に係るガラス繊維バグフィルタ収納体を示す図、図４は本発明の実施例２に係るガラス繊維バグフィルタの折り畳み状態を示す図、図５は本発明の実施例３に係るガラス繊維バグフィルタ収納体を示す図、図６は本発明の参考例に係るガラス繊維バグフィルタ収納体を示す図、図７はガラス繊維バグフィルタの概略斜視図である。
【００２３】
図７に示すように、本実施例に係るガラス繊維バグフィルタ１０は、ろ布本体１１と、該ろ布本体１１の上端側開口部に装着された円環部材１２と、下端側開口部を塞ぐ底面１３と、から構成される。前記底面１３側にも円環部材１２が装着されていてもよい。該円環部材１２は円環状に形状保持される材質、例えば金属等が用いられ、さらに弾性を有することが好ましい。前記ろ布本体１１はガラス繊維クロスを素材とし、これを中空円筒状に縫製して形成される。一例として、焼却炉排ガス処理の除塵装置に用いられるガラス繊維バグフィルタ１０は、ろ布本体１１の内径が１００〜２００ｍｍ、長さが約４〜６ｍの長尺状に形成され、これが一基の除塵装置に２００〜１０００本程度吊架される。
尚、本実施例では、ろ布本体１１の上端側に円環部材１２を装着し、底面を塞いだ構成としているが、これに限定されるものではなく、上端若しくは下端の少なくとも一方に円環部材１２が装着された中空円筒状若しくは有底円筒状であれば何れでもよく、他にも下端側に円環部材１２が装着されて底面が開放された構成、下端と上端の両端に円環部材１２が装着された構成等がある。
【実施例１】
【００２４】
図１及び図２に本実施例１に係るガラス繊維バグフィルタ収納体を示す。図１（ａ）に示すように、まず中空円筒状のろ布本体１１を平坦状に軽く潰した後、該ろ布本体１１の一端側を他端側へ重合させるようにして長手方向に折り畳む。この時、折り目１５の内側に緩衝用治具２０を当接させた状態で折り畳む。該緩衝用治具２０は、図１（ｂ）に示すように、該治具２０を挟持したバグフィルタ１０の折り角θ’の鋭角が緩和され、略Ｒ状となるような大きさ、形状を有する。緩衝用治具２０の形状としては、例えば円柱型、楕円柱型、半円柱型、筒型等が挙げられる。また緩衝用治具２０は、平坦状に潰したろ布本体１１の幅と略同一若しくは僅かに長い寸法を有するものとする。該緩衝用治具２０の材質は、金属、プラスチック、ウレタンやゴムなどの高分子材料、紙、布等の何れでもよく、他にも気泡性シートをろ布本体１１に折り込んで折り角θ’を緩和するようにしてもよい。
【００２５】
具体的なガラス繊維バグフィルタ収納体１０の構成を図２に示す。
図２（ａ）は、ろ布本体１１に緩衝用治具２０を当接させて、該緩衝用治具２０が折り目内側に位置するように折り畳む。これをろ布本体１１の一端側から長手方向に順次行い、全長を折り畳んで蛇腹状とする。本実施例では、緩衝用治具２０は鉛直方向に略一直線状に位置するようにバグフィルタ収納体１０に介装される。
図２（ｂ）は、（ａ）と同様にろ布本体１１に緩衝用治具２０を当接させた状態で長手方向に蛇腹状に折り畳んでおり、この時、緩衝用治具２０を鉛直方向に位置ずれさせて配置している。これにより、折り畳んだバグフィルタ収納体１０の厚みが小さくなり、コンパクト化が図れる。
図２（ｃ）は、円環部材１２側から折り畳みを開始し、折り目内側に緩衝用治具２０を当接させて折り畳む。所定間隔だけ離間させた２の緩衝用治具２０にろ布本体１１を捲回させ、底面１３が外側に露出するように折り畳む。本実施例では、一本のガラス繊維バグフィルタ収納体１０に対して２の緩衝用治具２０のみ使用する。これにより、緩衝用治具２０の使用数を低減できるとともに、収納体１０の省スペース化が図れる。
【００２６】
また、実施例１の他の形態を図３に示す。図３（ａ）は半円筒状治具の斜視図、（ｂ）は円筒状治具の斜視図、（ｃ）は一体型治具の斜視図、（ｄ）は（ａ）の治具にバグフィルタを捲回した状態を示す側面図、（ｅ）は（ｃ）の治具にバグフィルタを捲回した状態を示す側面図である。
図３（ａ）に示すように、緩衝用治具２１は、所定間隔だけ離間させた２の半円筒部材２１ａを棒状結合部材２１ｂで結合して一体化した構造を有し、該半円筒部材２１ａの曲面は互いに外側に向けられて結合されている。該半円筒部材２１ａの離間距離はろ布本体１１の折幅に相当する。該緩衝用治具２１を用いたガラス繊維バグフィルタ収納体１０を図３（ｄ）に示す。同図に示すように、半円筒部材２１ａ、２１ａの間に形成された円環部材収容空間２１０に円環部材１２を収容し、さらに該円環部材１２に連結されるろ布本体１１を緩衝用治具２１に捲回してバグフィルタ収納体１０を形成する。これにより、バグフィルタ収納体１０の内部に環状部材収容空間が形成されるとともに、ろ布本体１１の折り目がＲ状となり、折り角θ’が緩和されて長期保管時の強度低下を防止することができる。
同様に、図３（ｂ）に示す緩衝用治具２２は、２の円筒部材２２ａを棒状結合部材２２ｂで結合して一体化した構造を有する。このように、折り目１５に当接する部材２２ａは、ろ布本体１１の折り目を緩和させる形状、大きさであれば何れでも良く、図３（ａ）と同様の効果を得ることができる。
【００２７】
図３（ｃ）に示す緩衝用治具２３は、一の板状部材の両端側を曲折させて、中央に環状部材収容空間２３０を形成させた構造を有する。該緩衝用治具２３を用いたガラス繊維バグフィルタ収納体１０を図３（ｅ）に示す。同図に示すように、環状部材１２を環状部材収容空間２３０に収容した状態でろ布本体１１を緩衝用治具２１に捲回し、バグフィルタ収納体１０を形成する。これにより、図３（ａ）、（ｂ）の場合と同様の効果を得ることができる。
【００２８】
また、本実施例において、緩衝用治具２０、２１、２２、２３内部又は表面、若しくは円環部材収容空間２１０、２３０に乾燥剤を配置するようにしてもよい。乾燥剤としては、シリカゲル、生石灰、塩化カルシウム、ゼオライト等が挙げられる。これにより、ガラス繊維バグフィルタの水分による応力腐食を防止することができ、湿度上昇等の保管条件の変化に関わらず、品質を維持した長期保管が可能となる。
また、ガラス繊維バグフィルタ収納体１０をアルミ、ビニール等の梱包材料により通気遮断梱包することも好適である。これにより、バグフィルタ収納体１０が水蒸気に曝されることがなく、完全な応力腐食の防止が期待できる。このとき、ドライ空気、窒素によるパージをしてもよい。尚、この乾燥剤の利用については、以下の実施例２〜実施例３においても適用可能である。
【実施例２】
【００２９】
図４に本実施例３に係るガラス繊維バグフィルタを示す。本実施例は、可撓性を有する長尺棒状の緩衝用治具２４を用い、該緩衝用治具２４をろ布本体１１の長手方向に沿って挿入し、長手方向の２箇所の折り目に当接させる。その後、ろ布本体１１を長手方向に折り畳むことで折り角を緩和し、長期保管時の強度低下を防止する。本実施例によれば、ろ布本体１１の幅方向の折り目１５を緩和できるとともに、緩衝用治具２４により長手方向の折り目に対してもその強度低下を防止可能である。
【実施例３】
【００３０】
図５に実施例３に係るバグフィルタ収納体を示す。図５（ａ）は収納棚に収納した状態を示す斜視図、（ｂ）は側断面図である。
本実施例では、予めろ布本体１１の長手方向に複数回折り畳んだバグフィルタ１０を、収納棚３０に収納し、保管する。
収納棚３０は、支柱３１に固定された仕切り板３２が所定間隔に複数配置された構造を有する。該仕切り板３２は環状部材１２の高さより大きい間隙を有する。この間隙がバグフィルタ収納空間となる。
仕切り板３２は、収納されたバグフィルタ１０の少なくとも一部を支持し、複数収納したバグフィルタ１０の互いの荷重が加わらないようにする。例えば、該仕切り板３２は、図５（ａ）に示すようにバグフィルタ１０の全面を支持するように構成してもよいし、図５（ｂ）に示すようにバグフィルタの折れ目１５部分のみを支持するように構成してもよい。また、前記仕切り板３２は水平方向若しくは鉛直方向の何れの方向にも設置可能であり、それぞれの仕切り板は解体することができる。
また、前記収納棚３０を、ダンボール箱４０に収納する場合には、下方のバグフィルタには荷重がかからないように配置することが好ましい。
【００３１】
本実施例によれば、仕切り板３２により固定された収納空間を形成することにより、ろ布本体１１の折り目１５に自重以外の荷重がかからないため、極端な強度低下を防止できる。
また、仕切り板３２を収納したダンボール４０等を積層して保管することが可能となり、保管スペースを低減できる。特に仕切り板３２をダンボール４０内に挿入する場合、保護が必要な折り畳み部分以外は板が存在しないように構成することも好適であり、これにより全体のコンパクト化が図れる。
尚、本実施例３では、上記した実施例１及び実施例２に記載したバグフィルタ収納体１０を、前記収納棚３０に収納することも好ましく、より一層の強度低下防止が達成できる。
【参考例】
【００３２】
図６に本参考例に係るバグフィルタ収納体を示す。図６（ａ）は収納容器に収納した状態を示す側面図、（ｂ）は斜視図、（ｃ）は別の形態を示す斜視図である。
本参考例では、まずバグフィルタのろ布本体１１を平坦状に軽く潰した後、環状部材１２を中心にして、折れ曲がり角が形成されないように連続的に巻き取り、底面１３が外側に露出するように全長を捲回する。その後、収納容器３４により形成された収納空間に前記バグフィルタ１０を収納する。
収納容器３４は、少なくとも３面以上を有し、前記バグフィルタ１０に荷重が加わらないように固定空間を形成する構成となっている。該収納容器３４は複数のバグフィルタが収納される大きさであってもよい。さらにリング状の容器に収納することや外周をマジックテープ（登録商標）等で巻いて収納されてもよい。
【００３３】
本参考例の具体的構成としては、図６（ｂ）に示すように、バグフィルタの３側面において夫々の面の一部のみを囲繞する容器３４や、図６（ｃ）に示すような底面と３側面からなる容器などが挙げられる。
本参考例によれば、実施例３と同様に、折り角θ’が鋭角で折れ曲がることがなくなり、長期に亘る保管においてろ布破断の起点となる極端な強度低下箇所がなくなる。また、ろ布本体が連続的にカーブを描いて渦巻き状になるように捲回しているため、全体が立方体に近いコンパクトな形状となり、収納空間の削減が図れるとともに、巻き取りを固定するだけの簡単な器具で済む。さらに収納容器３４の一面以上を開放することによりバグフィルタの出し入れが容易となり、これら容器はダンボール等の中に積層して運搬保管することができ、バグフィルタ自体には荷重がかからず強度低下を防止できる。
【００３４】
（強度比較試験）
比較例として従来の方法で長期保管したガラス繊維バグフィルタを用い、本実施例にて長期保管したガラス繊維バグフィルタとの強度比較試験を行った。試験は、最も荷重の加わる折り目部分を含むろ布本体１１の引張り強さ測定（たて方向）を行い、両者の残存強度測定を行った。
比較例として、バグフィルタを平坦状に潰した後、長手方向に６つ折（６層）に折り畳んだものをダンボールに８個（横２列×高さ４段）入れて梱包し、ダンボールを４段積みとした状態で、通風のよい湿気の無い箇所で１年保管したガラス繊維バグフィルタを用いる。
【００３５】
本実施例には、実施例１Ａとして図２（ｃ）、実施例１Ｂとして図３（ｅ）、実施例２として図４、実施例３として図５（ａ）、参考例として図６（ｃ）に夫々示すバグフィルタ収納体を用いた。実施例１Ａ、１Ｂ、実施例２、実施例３については、比較例と同様に長手方向に６つ折（６層）に折り畳んだものをダンボールに８個（横２列×高さ４段）入れて梱包し、ダンボールを４段積みとした状態で保管した。参考例は、ダンボールに８個（縦２列×横２列×高さ２段）入れて梱包し、ダンボールを４段積みとした状態で保管した。また、何れの実施例でも、通風のよい湿気の無い箇所で１年保管したガラス繊維バグフィルタを用いた。
【００３６】
測定方法は、試験装置：定速荷重引張り試験機、試験片：長さ２５０ｍｍ、幅２５ｍｍ  つかみ治具間隔：１５０ｍｍ、引張り速度：２０ｃｍ／ｍｉｎとした。
測定結果を以下に示す。
【００３７】
【表１】
0004766671.tif 000002
【００３８】
このように、比較例では引張り強さが低下するのに対し、実施例では引張り強さの低下がほとんどなく、長期保管が可能であることが明らかとなった。
【産業上の利用可能性】
【００３９】
本発明は、ガラス繊維バグフィルタを用いる除塵装置全般に適用できるが、特に高温雰囲気での使用に適しており、焼却炉、溶融炉、ガス化炉等の各種熱処理炉における排ガス処理設備や製薬・化学工業設備などに好適に利用できる。
【図面の簡単な説明】
【００４０】
【図１】本発明の実施例１に係るガラス繊維バグフィルタの折り畳み状態を示し、（ａ）は治具を介装したバグフィルタの斜視図、（ｂ）は（ａ）のＡ−Ａ線断面を示す模式図である。
【図２】本発明の実施例１に係るガラス繊維バグフィルタ収納体を示し、（ａ）は治具を直線的に配置した図、（ｂ）は治具を位置ずれ配置した図、（ｃ）は２の治具にバグフィルタを捲回させた図である。
【図３】本発明の実施例１の他の形態に係り、（ａ）は半円筒状治具の斜視図、（ｂ）は円筒状治具の斜視図、（ｃ）は一体型治具の斜視図、（ｄ）は（ａ）の治具にバグフィルタを捲回した状態を示す側面図、（ｅ）は（ｃ）の治具にバグフィルタを捲回した状態を示す側面図である。
【図４】本発明の実施例２に係るガラス繊維バグフィルタの折り畳み状態を示す斜視図である。
【図５】本発明の実施例３に係るガラス繊維バグフィルタ収納体を示し、（ａ）は収納棚に収納した状態を示す斜視図、（ｂ）は側断面図である。
【図６】本発明の参考例に係るガラス繊維バグフィルタ収納体を示し、（ａ）は収納容器に収納した状態を示す側面図、（ｂ）は斜視図、（ｃ）は別の形態を示す斜視図である。
【図７】ガラス繊維バグフィルタの概略斜視図である。
【図８】従来のバグフィルタ収納状態を示し、（ａ）はバグフィルタの折り畳み状態を示す斜視図、（ｂ）は折り角θを説明する図である。
【符号の説明】
【００４１】
１０    ガラス繊維バグフィルタ
１１    ろ布本体
１２    円環部材
１３    底面
１５    折り目
２０、２１、２２、２３、２４    緩衝用治具
２１０、２３０    円環部材収容空間
３０    収納棚
３２、３３    仕切り板
３４、３５    収納容器
４０    ダンボール箱
【図１】
0004766671.tif 000003
【図２】
0004766671.tif 000004
【図３】
0004766671.tif 000005
【図４】
0004766671.tif 000006
【図５】
0004766671.tif 000007
【図６】
0004766671.tif 000008
【図７】
0004766671.tif 000009
【図８】
0004766671.tif 000010